(57)【特許請求の範囲】
【請求項１】
内空間に膨縮部材を有するサンプリング容器と、該サンプリング容器に対する圧力流体の取込／取出用のカプラと、該カプラに対して前記サンプリング容器を開閉するための開閉弁とを具備し、前記圧力流体を前記サンプリング容器の前記内空間に前記膨縮部材を圧縮した状態で封入するようにした圧力流体のサンプリング装置において、
前記膨縮部材が前記圧力流体の圧力より低い圧力のガスが封入されたブラダから構成され、
前記サンプリング容器が複数個の分離可能な部材から構成され、このサンプリング容器には覗き窓が設けられ、
前記封入ガスの圧力を調整する調整手段を具備することを特徴とする圧力流体のサンプリング装置。
【請求項２】
内空間に膨縮部材を有するサンプリング容器と、該サンプリング容器に対する圧力流体の取込／取出用のカプラと、該カプラに対して前記サンプリング容器を開閉するための開閉弁とを具備し、前記圧力流体を前記サンプリング容器の前記内空間に前記膨縮部材を圧縮した状態で封入するようにした圧力流体のサンプリング装置において、
前記サンプリング容器が半球形状の容器であって、その底面に膨縮部材としてダイアフラムを張り付け、内部に前記圧力流体の圧力より低いガスが封入されていることを特徴とする圧力流体のサンプリング装置。
【請求項３】
前記封入ガスの圧力を調整する調整手段を具備することを特徴とする請求項２に記載の圧力流体のサンプリング装置。
【発明の詳細な説明】
【０００１】
【発明の属する技術分野】
本発明は、加圧液体或いは加圧ガス等の圧力流体を採取するサンプリング装置に関するものである。
【０００２】
【従来の技術】
圧力流体をサンプリングする装置として図４に示すような構成のものがある。ここでは、処理装置Ｃ側の圧力流体が流れる配管２１，２２の先端にクイックカプラ２３，２４を取り付け、このクイックカプラ２３，２４に対して、雄雌の関係で対となるクイックカプラ２５，２６，配管２７，２８、開閉弁２９，３０、サンプリング容器３１からなるサンプリングアセンブリＤを取り付けて構成している。
【０００３】
サンプリングに際しては、クイックカプラ２３と２５、２４と２６を各々結合してから、開閉弁２９，３０を開いて処理装Ｃ置側より圧力流体をサンプリング容器３１内に通し、その後に開閉弁２９，３０を閉じてからクイックカプラ２３と２５、２４と２６を分離して、サンプリング容器３１内に圧力流体サンプルを採取するものである。サンプリング容器３１に採取された圧力流体サンプルは、ポンプ等により吸引して取り出し、分析装置による分析が行われる。
【０００４】
【発明が解決しようとする課題】
ところが、上記したサンプリング装置では、処理装置Ｃ側のクイックカプラ２３，２４は固定されており、またサンプリングアセンブリＤの配管２７，２８もフレキシブルではないため、そのアセンブリＤの着脱作業が困難である。つまり、２カ所でクイックカプラを同時に操作する必要があり、その作業に熟練を必要とする。
【０００５】
また、２カ所のクイックカプラは処理装置Ｃ側とアセンブリＤ側で芯合わせが必要であるため、アセンブリＤの分解後の組立には所定の精度が必要となり、分解組立に困難を伴う。
【０００６】
更に、容器３１内に採取した圧力流体サンプルを取り出すときは、その圧力流体サンプルが空気に触れないようにするために、吸引ポンプが必要となる。
【０００７】
本発明は以上のような点に鑑みてなされたものであり、その目的は、サンプリング容器の着脱操作が簡単で、且つ圧力流体サンプルの取り出しに吸引ポンプが必要ないようにした圧力流体のサンプリング装置を提供することである。
【０００８】
【課題を解決するための手段】
上記目的を達成するために提案されたもので、第１の発明は、内空間に膨縮部材を有するサンプリング容器と、該サンプリング容器に対する圧力流体の取込／取出用のカプラと、該カプラに対して前記サンプリング容器を開閉するための開閉弁とを具備し、前記圧力流体を前記サンプリング容器の前記内空間に前記膨縮部材を圧縮した状態で封入するようにした圧力流体のサンプリング装置において、
前記膨縮部材が前記圧力流体の圧力より低い圧力のガスが封入されたブラダから構成され、
前記サンプリング容器が複数個の分離可能な部材から構成され、このサンプリング容器には覗き窓が設けられ、
前記封入ガスの圧力を調整する調整手段を具備するようにした。
【０００９】
第２の発明は、内空間に膨縮部材を有するサンプリング容器と、該サンプリング容器に対する圧力流体の取込／取出用のカプラと、該カプラに対して前記サンプリング容器を開閉するための開閉弁とを具備し、前記圧力流体を前記サンプリング容器の前記内空間に前記膨縮部材を圧縮した状態で封入するようにした圧力流体のサンプリング装置において、
前記サンプリング容器が半球形状の容器であって、その底面に膨縮部材としてダイアフラムを張り付け、内部に前記圧力流体の圧力より低いガスが封入されていることを特徴とする。
【００１０】
第３の発明は、第２の発明において、前記封入ガスの圧力を調整する調整手段を具備することを特徴とする。
【００１５】
【発明の実施の形態】
図１は本発明の実施の形態のサンプリング装置の構成を示す図である。１はサンプリング容器、２はその容器１に取り付けた配管であり、この配管２の先端にクイックカプラ３が、中間に開閉弁４が取り付けられている。以上によりサンプリングアセンブリＡが構成されている。５は処理装置Ｂ側に取り付けたサンプリング用の配管、６はその配管５の先端のクイックカプラである。クイックカプラ３，５は雄雌の関係の対をなしている。
【００１６】
サンプリング容器１は、図２の(a)に示すように、内部空間に圧縮復元性をもつブラダ（ゴム風船のようなもので、内蔵ガスや圧力流体サンプルに耐性をもつ材質からなる。）７を内蔵しており、このブラダ７には注入プラグ８からガスＧが封入されている。この注入プラグ８は、内部のガスを一部抜き取る圧力調整部材としても機能する。
【００１７】
さて、サンプリングに際しては、サンプリング容器１内のブラダ７に予め所定の圧力（配管５側の圧力流体の圧力より低い圧力でかつブラダ７が容器１内の全体を占める圧力）のガスＧを封入しておき、またサンプリング容器１内と配管２内を真空にし又はそこにサンプリングに影響を与えない流体を封入しておく。
【００１８】
この状態でクイックカプラ３をクイックカプラ６に結合してから、開閉弁４を開くと、配管５側から圧力流体サンプルＳがサンプリング容器１内に流入し、図２の(b)に示すように、ブラダ７を上方に収縮変形させ内部容積を押し広げてそこに流入する。
【００１９】
従って、この後に開閉弁４を閉じると所定量の圧力流体サンプルＳがサンプリング容器１内に封入されるので、クイックカプラ３と６を分離してから、クイックカプラ３を図示しない分析装置のクイックカプラに結合すると、開閉弁４を開くことにより、サンプリング容器１内の圧力流体サンプルＳが分析装置にブラダ７の膨張圧力によって全部押し出される。このとき、サンプリング容器１内の圧力流体サンプルＳが外部の空気と触れることはない。
【００２０】
なお、前記したサンプリング容器１は、図３の(a)に示すように、ブラダ７の伸縮方向に沿った長窓１ａを設けておけば、内部に流入した圧力流体サンプルＳのおおよその量を視認することができる。
【００２１】
また、図３の(b)に示すように、この容器１を上下で分割して半容器１ｂ、１ｃとし、それらをフランジ１ｄ，１ｅで結合できるようにすれば、内部の点検洗浄が容易となる。また、容器としては、この他に卵型でも球形でも可能である。
【００２２】
更に、図３の(c)に示すように、半球形状の容器１’の底面にダイアフラム９を張り付け、内部に圧力ガスＧを封入して、底面から圧力流体サンプルが流入するように構成することもできる。これによれば、圧力流体サンプルの採取時にダイアフラム９の変形が半球形状となり、片寄った力がかからず、またサンプルの排出はダイアフラム９の復元力により行われ、しかも非サンプル時はダイアフラム９に応力がほとんどかからない。
【００２３】
更に、図３の(d)に示すように、スプリング１０の弾力によって進退するピストン１１を使用することもできる。このときは、スプリング１０の弾力をそこに取り込む圧力流体の圧力よりも小さくし、容器１”をシリンダ形状にする必要がある。
【００２４】
更に、クイックカプラ３，６はこれに限られるものではなく、配管を気密状態で結合／分離できるカプラであればよい。
【００２５】
以上から請求項１の発明によれば、サンプリング容器が複数個の分離可能な部材から構成されているので、内部の点検洗浄が容易となり、また、このサンプリング容器には覗き窓が設けられているので、内部に流入した圧力流体サンプルの量を視認できる。
また、請求項２の発明によれば、サンプリング容器が半球形状の容器であって、その底面に膨縮部材としてダイアフラムを張り付けたので、圧力流体サンプルの採取時にダイアフラムの変形が半球形状となり、このため片寄った力がかからず、しかも非サンプル時はダイアフラムに応力がほとんどかからない。
【図面の簡単な説明】
【図１】  本発明のサンプリング装置の構成を示す説明図である。
【図２】  サンプリング容器の断面図で、(a)はサンプル非採取時、(b)はサンプル採取時を示す図である。
【図３】  (a)、(b)、(c),（ｄ）はサンプリング装置の別の例の説明図である。
【図４】  従来のサンプリング装置の構成を示す説明図である。
【符号の説明】
１、１’、１”：サンプリング容器、２：配管、３：クイックカプラ、４：開閉弁、５：配管、６：クイックカプラ、７：ブラダ、８：注入プラグ、９：ダイアフラム、１０：スプリング、１１：ピストン、２１、２２：配管、２３，２４，２５，２６：クイックカプラ、２７，２８：配管、２９，３０：開閉弁、３１：サンプリング容器。
【図１】
0003779064.tif 000002
【図２】
0003779064.tif 000003
【図３】
0003779064.tif 000004
【図４】
0003779064.tif 000005